(57)【要約】【課題】グレンパンから脱穀処理物を漏下させて、脱穀処理物の選別効率を向上させることができるコンバインを提供することを目的とする。【解決手段】作物を脱穀する扱胴を有する扱室と、脱穀処理物を揺動選別する揺動選別装置２３と、脱穀処理物を選別するための選別風を揺動選別装置２３に供給する唐箕２０と、を備え、揺動選別装置２３は、脱穀処理物を比重差選別するグレンパン３０と、グレンパン３０からの脱穀処理物を篩い選別するチャフシーブ３１と、グレンパン３０及びチャフシーブ３１が設けられるシーブケース２９と、を備え、グレンパン３０は、シーブケース２９における扱室１４の作物入口側となる端部に設けられ、グレンパン３０には、脱穀処理物を漏下させるための開口部３９ａが形成されている。【選択図】図５
2013183655.tif 000002
【特許請求の範囲】
【請求項１】
作物を脱穀する扱胴を有する扱室と、
脱穀処理物を揺動選別する揺動選別装置と、
脱穀処理物を選別するための選別風を前記揺動選別装置に供給する唐箕と、を備え、
前記揺動選別装置は、
脱穀処理物を比重差選別するグレンパンと、
前記グレンパンからの脱穀処理物を篩い選別するチャフシーブと、
前記グレンパン及び前記チャフシーブが設けられるシーブケースと、を備え、
前記グレンパンは、前記シーブケースにおける前記扱室の作物入口側となる端部に設けられ、
前記グレンパンには、脱穀処理物を漏下させるための開口部が形成されているコンバイン。
【請求項２】
前記唐箕の選別風が、前記開口部内を通過するように構成されている請求項１に記載のコンバイン。
【請求項３】
前記唐箕は、
脱穀処理物を選別するための選別風を前記揺動選別装置に供給する第一唐箕と、
脱穀処理物を選別するための選別風を前記揺動選別装置の上部に供給する第二唐箕と、を備え、
前記第二唐箕の選別風が、前記開口部内を通過するように構成されている請求項１又は請求項２に記載のコンバイン。
【請求項４】
前記唐箕の選別風を前記開口部に向けて案内する案内部材を備える請求項２又は請求項３に記載のコンバイン。
【請求項５】
前記開口部は、前記グレンパンにおける前記扱室の作物出口側に形成されている請求項１から請求項４までのいずれか一項に記載のコンバイン。
【請求項６】
前記グレンパンは、前記扱室の作物入口側に配置される入口側部材と、前記扱室の作物出口側に配置される出口側部材と、に二分割されて構成され、
前記出口側部材は、着脱可能に構成されている請求項１から請求項５までのいずれか一項に記載のコンバイン。
【請求項７】
前記開口部は、前記出口側部材に形成されている請求項６に記載のコンバイン。
【請求項８】
前記グレンパンは、
第一グレンパンと、
前記第一グレンパンの下方に設けられる第二グレンパンと、を備え、
前記開口部は、前記第一グレンパンに形成されている請求項１から請求項７までのいずれか一項に記載のコンバイン。
【請求項９】
前記唐箕は、
脱穀処理物を選別するための選別風を前記揺動選別装置に供給する第一唐箕と、
脱穀処理物を選別するための選別風を前記揺動選別装置の上部に供給する第二唐箕と、を備え、
前記第二唐箕は、
回転軸を有するファンと、
前記ファンを覆うファンケースと、を備え、
前記ファンケースにおける前記回転軸方向の両端部には、外気を導入する第一開口部がそれぞれ形成され、
前記ファンケースにおける一端部の前記第一開口部と他端部の前記第一開口部との間には、外気を導入する第二開口部が形成されている請求項１から請求項８までのいずれか一項に記載のコンバイン。
【請求項１０】
前記第二開口部は、前記ファンケースにおける前記回転軸方向の中央部に形成されている請求項９に記載のコンバイン。
【請求項１１】
前記ファンは、
単一の前記回転軸を有し、
前記第二開口部における前記回転軸方向の中心を挟んで、第一ファンと、第二ファンと、に二分割されて構成されている請求項９又は請求項１０に記載のコンバイン。
【発明の詳細な説明】
【技術分野】
【０００１】
本発明は、コンバインに関する。より詳細には、脱穀処理物を比重差選別するグレンパンを備えるコンバインに関する。
【背景技術】
【０００２】
例えば、特許文献１には、グレンパンを備える脱穀選別装置が開示されている。特許文献１に記載の脱穀選別装置において、グレンパンには、唐箕の選別風が通過する小開口が形成されている。これにより、唐箕の選別風をグレンパンの小開口内を通過させて、脱穀処理物の選別効率を向上させている。
【先行技術文献】
【特許文献】
【０００３】
【特許文献１】実開昭６１−５６８４４号公報
【発明の概要】
【発明が解決しようとする課題】
【０００４】
しかしながら、特許文献１に記載の脱穀選別装置は、グレンパンの小開口がモミを通過させないように構成されている。したがって、例えば、刈取幅の拡大によって脱穀処理物量が増加する等の脱穀処理物量が増加する事情に対して、グレンパンの小開口から脱穀処理物を漏下させて、脱穀処理物の選別効率を向上させるといったことができない。
【０００５】
本発明は以上の如き状況に鑑みてなされたものであり、グレンパンから脱穀処理物を漏下させて、脱穀処理物の選別効率を向上させることができるコンバインを提供することを目的とする。
【課題を解決するための手段】
【０００６】
本発明に係るコンバインの特徴構成は、作物を脱穀する扱胴を有する扱室と、脱穀処理物を揺動選別する揺動選別装置と、脱穀処理物を選別するための選別風を前記揺動選別装置に供給する唐箕と、を備え、前記揺動選別装置は、脱穀処理物を比重差選別するグレンパンと、前記グレンパンからの脱穀処理物を篩い選別するチャフシーブと、前記グレンパン及び前記チャフシーブが設けられるシーブケースと、を備え、前記グレンパンは、前記シーブケースにおける前記扱室の作物入口側となる端部に設けられ、前記グレンパンには、脱穀処理物を漏下させるための開口部が形成されている、ことにある。
【０００７】
本特徴構成によると、グレンパンの開口部から脱穀処理物が漏下する。これにより、シーブケースにおける扱室の作物入口側となる端部での脱穀処理物の選別量が増加する。したがって、脱穀処理物の選別効率を向上させることができる。
【０００８】
本発明に係るコンバインの更なる特徴構成は、前記唐箕の選別風が、前記開口部内を通過するように構成されている、ことにある。
【０００９】
本特徴構成によると、唐箕の選別風が開口部内を通過する。これにより、シーブケースにおける扱室の作物入口側となる端部に、唐箕の選別風が送風される。したがって、脱穀処理物の選別効率を向上させることができる。
【００１０】
本発明に係るコンバインの更なる特徴構成は、前記唐箕は、脱穀処理物を選別するための選別風を前記揺動選別装置に供給する第一唐箕と、脱穀処理物を選別するための選別風を前記揺動選別装置の上部に供給する第二唐箕と、を備え、前記第二唐箕の選別風が、前記開口部内を通過するように構成されている、ことにある。
【００１１】
本特徴構成によると、第二唐箕の選別風が開口部内を通過する。これにより、シーブケースにおける扱室の作物入口側となる端部に、第二唐箕の選別風が送風される。したがって、脱穀処理物の選別効率を向上させることができる。また、第二唐箕の選別風が揺動選別装置の上部に供給される。これにより、揺動選別装置の下部に落下する前の大量の脱穀処理物に直接的に届く。したがって、脱穀処理物の選別効率を向上させることができる。
【００１２】
本発明に係るコンバインの更なる特徴構成は、前記唐箕の選別風を前記開口部に向けて案内する案内部材を備える、ことにある。
【００１３】
本特徴構成によると、唐箕の選別風が案内部材によって開口部に向けて案内される。これにより、開口部から漏下する脱穀処理物に唐箕の選別風が確実に届く。したがって、脱穀処理物の選別効率を向上させることができる。
【００１４】
本発明に係るコンバインの更なる特徴構成は、前記開口部は、前記グレンパンにおける前記扱室の作物出口側に形成されている、ことにある。
【００１５】
本特徴構成によると、グレンパンにおける扱室の作物入口側で、脱穀処理物がある程度揺動選別される。その後、この揺動選別された脱穀処理物が、グレンパンにおける扱室の作物出口側に形成された開口部から漏下される。したがって、脱穀処理物の選別効率の向上を図りつつ、脱穀処理物の選別精度を向上させることができる。
【００１６】
本発明に係るコンバインの更なる特徴構成は、前記グレンパンは、前記扱室の作物入口側に配置される入口側部材と、前記扱室の作物出口側に配置される出口側部材と、に二分割されて構成され、前記出口側部材は、着脱可能に構成されている、ことにある。
【００１７】
本特徴構成によると、出口側部材を着脱して、容易に交換やメンテナンスすることができる。例えば、出口側部材を異なる仕様のものに交換することができる。
【００１８】
本発明に係るコンバインの更なる特徴構成は、前記開口部は、前記出口側部材に形成されている、ことにある。
【００１９】
本特徴構成によると、開口部が形成された出口側部材を着脱して、容易に交換やメンテナンスすることができる。例えば、開口部が形成された出口側部材を、異なる開口部が形成されたものに交換することができる。
【００２０】
本発明に係るコンバインの更なる特徴構成は、前記グレンパンは、第一グレンパンと、前記第一グレンパンの下方に設けられる第二グレンパンと、を備え、前記開口部は、前記第一グレンパンに形成されている、ことにある。
【００２１】
本特徴構成によると、第二グレンパンの上方に設けられた第一グレンパンに、開口部が形成されている。これにより、第一グレンパンの開口部から漏下した脱穀処理物が、さらに第二グレンパンで揺動選別される。したがって、脱穀処理物の選別効率の向上を図りつつ、脱穀処理物の選別精度を向上させることができる。
【００２２】
本発明に係るコンバインの更なる特徴構成は、前記唐箕は、脱穀処理物を選別するための選別風を前記揺動選別装置に供給する第一唐箕と、脱穀処理物を選別するための選別風を前記揺動選別装置の上部に供給する第二唐箕と、を備え、前記第二唐箕は、回転軸を有するファンと、前記ファンを覆うファンケースと、を備え、前記ファンケースにおける前記回転軸方向の両端部には、外気を導入する第一開口部がそれぞれ形成され、前記ファンケースにおける一端部の前記第一開口部と他端部の前記第一開口部との間には、外気を導入する第二開口部が形成されている、ことにある。
【００２３】
本特徴構成によると、第一開口部に加えて第二開口部からも外気が導入される。これにより、第二唐箕の選別風量が増加する。したがって、脱穀処理物の選別効率を向上させることができる。
【００２４】
本発明に係るコンバインの更なる特徴構成は、前記第二開口部は、前記ファンケースにおける前記回転軸方向の中央部に形成されている、ことにある。
【００２５】
本特徴構成によると、第二唐箕について回転軸方向における一方側と他方側との選別風量が同程度になる。したがって、第二唐箕の選別風量の増加による脱穀処理物の選別効率の向上を図りつつ、第二唐箕の回転軸方向における脱穀処理物の選別精度の均一化を図ることができる。
【００２６】
本発明に係るコンバインの更なる特徴構成は、前記ファンは、単一の前記回転軸を有し、前記第二開口部における前記回転軸方向の中心を挟んで、第一ファンと、第二ファンと、に二分割されて構成されている、ことにある。
【００２７】
本特徴構成によると、回転軸方向における一方側には、主として第一ファンが選別風を送風する。そして、回転軸方向における他方側には、主として第二ファンが選別風を送風する。したがって、第二唐箕の回転軸方向における一方側と他方側とに、選別風を確実に供給することができる。
【図面の簡単な説明】
【００２８】
【図１】普通型コンバインを示す側面図。
【図２】普通型コンバインを示す平面図。
【図３】脱穀部及び選別部を示す側面断面図。
【図４】脱穀部を示す正面断面図。
【図５】選別部の前部を示す側面断面図。
【図６】第一グレンパンを示す平面図。
【図７】副唐箕を示す平面断面図。
【発明を実施するための形態】
【００２９】
以下、本発明を実施するための形態について図面に基づき説明する。
【００３０】
先ず、普通型コンバインの全体構成について、図１及び図２により説明する。
【００３１】
図１及び図２に示すように、普通型コンバインは、機体を走行させる右及び左の前輪１Ｆ並びに右及び左の後輪１Ｒを有する走行部１を備えている。走行部１の上部には、機体フレーム２が備えられている。機体フレーム２の前方には、穀稈を刈り取る刈取部３が備えられている。刈取部３の後側には、刈り取った穀稈を搬送するフィーダ４が備えられている。また、機体フレーム２上には、脱穀処理物を選別する選別部５が備えられている。選別部５の右方には、動力源となるエンジンＥが備えられている。選別部５の上側には、穀稈を脱穀する脱穀部６が備えられている。脱穀部６の上方には、選別後の穀粒を貯留するグレンタンク７が備えられている。脱穀部６の後側には、排藁等の脱穀処理物を切断して機外へ排出する切断部８が備えられている。脱穀部６の前方には、オペレータが搭乗するキャビン９が備えられている。キャビン９には、オペレータが着座する運転席１０、ステアリングハンドル９ａ及び図示しない操作ペダルや操作レバー等の操作具類が備えられている。
【００３２】
次に、脱穀部６及び選別部５について、図３及び図４により説明する。
【００３３】
図３及び図４に示すように、脱穀部６は、扱胴１１と、扱室１４と、受網１２と、送塵弁１３と、を備えている。
【００３４】
扱胴１１は、穀稈を脱穀する。扱胴１１は、本実施形態では、籠型（バータイプ）に構成されている。扱胴１１は、回転軸１１ａと、前取付板１５及び後取付板１６と、螺旋１７と、三枚の仕切板１８と、六本のバー１９と、を備えている。
【００３５】
扱胴１１は、機体前後方向の回転軸１１ａを介して、扱室１４に回転可能に支持されている。扱室１４は、扱胴１１を有する。扱胴１１の回転軸１１ａの方向は、機体前後方向であり、扱胴１１の回転軸１１ａと直交する方向は、機体左右方向である。扱胴１１は、正面視において時計回り方向に回転するように構成されている。
【００３６】
前取付板１５は、回転軸１１ａの前端部に固定されている。後取付板１６は、回転軸１１ａの後端部に固定されている。前取付板１５及び後取付板１６は、いずれも正面視において略円形状に形成されている。螺旋１７は、前取付板１５の前面に設けられている。
【００３７】
仕切板１８は、回転軸１１ａにおける前取付板１５と後取付板１６との間に固定されている。具体的には、仕切板１８は、機体前後方向における回転軸１１ａを略四等分する位置に固定されている。仕切板１８は、正面視において略円形状に形成されている。仕切板１８の外周には、六つの嵌合凹部１８ａが略等角度間隔で形成されている。
【００３８】
バー１９は、仕切板１８の嵌合凹部１８ａに嵌め込まれている。バー１９は、取付部１９ｂを介して、前取付板１５、後取付板１６及び仕切板１８に固定されている。バー１９は、扱胴１１の径外方向に突出する多数の扱歯１９ａを備えている。
【００３９】
受網１２は、脱穀処理物を漏下選別する。受網１２は、扱胴１１の下方周囲を覆う正面視において略Ｕ字形状に形成されている。受網１２の左上端部側には、扱胴１１による脱穀処理物を受網１２の下方に案内する図示しない案内板が設けられている。
【００４０】
送塵弁１３は、脱穀処理物を扱室１４の穀稈出口側に案内する角度調節可能なものである。送塵弁１３は、扱胴１１の上部を覆う開閉可能な天井カバー４８の内面に取り付けられている。天井カバー４８の右端部は、機体前後方向の揺動軸４８ａに揺動可能に支持されている。天井カバー４８の左端部は、固定具４９で固定可能に構成されている。これにより、天井カバー４８は、固定具４９の固定を解除することで、揺動軸４８ａを支点にして開閉可能となる。
【００４１】
図３に示すように、選別部５は、揺動選別装置２３と、唐箕２０と、一番回収部２７と、二番回収部２８と、を備えている。
【００４２】
揺動選別装置２３は、受網１２から漏下した脱穀処理物を後方に移送しながら揺動選別する。揺動選別装置２３は、シーブケース２９と、グレンパン３０と、「チャフシーブ」としての前チャフシーブ３１と、ストローラック３２と、グレンシーブ３３と、後チャフシーブ３４と、を備えている。グレンパン３０は、第一グレンパン３６と、第一グレンパン３６の下方に設けられる第二グレンパン３７と、を備えている。
【００４３】
シーブケース２９は、偏心カム式の揺動機構３５によって前後揺動するように構成されている。シーブケース２９の上部側には、前方から順に第一グレンパン３６、前チャフシーブ３１及びストローラック３２が設けられている。シーブケース２９の下部側には、前方から順に第二グレンパン３７、グレンシーブ３３及び後チャフシーブ３４が設けられている。
【００４４】
第一グレンパン３６は、シーブケース２９の前端部に設けられている。第一グレンパン３６は、シーブケース２９とともに前後揺動することで、受網１２からの脱穀処理物を比重差選別し、比重の小さい藁屑等の塵埃と比重の大きい穀粒とに上下に層分けしながら、後方の前チャフシーブ３１に移送するように構成されている。第一グレンパン３６には、詳しくは後述する開口部３９ａが形成されている（図５及び図６参照）。
【００４５】
第二グレンパン３７は、第一グレンパン３６の下方であって、シーブケース２９の前端部に設けられている。第二グレンパン３７は、シーブケース２９とともに前後揺動することで、第一グレンパン３６からの脱穀処理物を比重差選別し、比重の小さい藁屑等の塵埃と比重の大きい穀粒とに上下に層分けしながら、後方のグレンシーブ３３に移送するように構成されている。
【００４６】
前チャフシーブ３１は、機体前後方向に所定間隔をあけて整列された複数の前チャフリップ板３１ａを備えている。前チャフシーブ３１は、シーブケース２９とともに前後揺動することで、受網１２及び第一グレンパン３６からの脱穀処理物を篩い選別し、穀粒等を前チャフリップ板３１ａの間から漏下させながら、前チャフリップ板３１ａの間から漏下しなかった脱穀処理物を後方のストローラック３２に移送するように構成されている。
【００４７】
ストローラック３２は、機体左右方向に所定間隔をあけて整列された複数のラック板３２ａを備えている。ストローラック３２は、シーブケース２９とともに前後揺動することで、穀粒等をラック板３２ａの間から漏下させながら、ラック板３２ａの間から漏下しなかった藁屑等を後端部から落下させるように構成されている。
【００４８】
グレンシーブ３３は、シーブケース２９とともに前後揺動することで、第一グレンパン３６、前チャフシーブ３１及び第二グレンパン３７からの脱穀処理物を篩い選別し、単粒化穀粒を一番物として漏下させながら、漏下しなかった枝梗付き穀粒等を二番物として藁屑等とともに後方の後チャフシーブ３４に移送するように構成されている。
【００４９】
後チャフシーブ３４は、機体前後方向に所定間隔をあけて整列された複数の後チャフリップ板３４ａを備えている。後チャフシーブ３４は、シーブケース２９とともに前後揺動することで、グレンシーブ３３からの枝梗付き穀粒等を篩い選別し、枝梗付き穀粒等を二番物として後チャフリップ板３４ａの間から漏下させながら、後チャフリップ板３４ａの間から漏下しなかった長い藁等を後方に搬送するように構成されている。
【００５０】
唐箕２０は、「第一唐箕」としての主唐箕２４と、「第二唐箕」としての副唐箕２５と、二番唐箕２６と、を備えている。主唐箕２４は、脱穀処理物を選別するための選別風を揺動選別装置２３の下部に供給する。副唐箕２５は、脱穀処理物を選別するための選別風を揺動選別装置２３の上部に供給する。二番唐箕２６は、脱穀処理物を選別するための選別風を揺動選別装置２３の後部に供給する。
【００５１】
主唐箕２４は、機体左右方向の回転軸４２ａを有するファン４２と、ファン４２を覆うファンケース４３と、を備えている。ファンケース４３には、選別風を送出する送出口４３ａが形成されている。
【００５２】
副唐箕２５は、機体左右方向の回転軸４４ａを有するファン４４と、ファン４４を覆うファンケース４５と、を備えている。ファンケース４５には、選別風を送出する送出口４５ａが形成されている。
【００５３】
一番回収部２７は、揺動選別装置２３の前部側から漏下して選別風を受けながら落下する単粒化穀粒を一番物として回収する。二番回収部２８は、揺動選別装置２３の後部側から漏下して選別風を受けながら落下する枝梗付き穀粒等を二番物として回収する。
【００５４】
次に、第一グレンパン３６について、図５及び図６により説明する。
【００５５】
図５及び図６に示すように、第一グレンパン３６は、側面視において略波型状に形成されている。第一グレンパン３６は、扱室１４の作物入口側（前側）に配置される入口側部材３８と、扱室１４の作物出口側（後側）に配置される出口側部材３９と、に二分割されて構成されている。第一グレンパン３６は、本実施形態では、出口側部材３９が入口側部材３８よりも前後方向に長くなるように構成されている。また、第一グレンパン３６における扱室１４の作物出口側には、多数の開口部３９ａが形成されている。本実施形態では、出口側部材３９に多数の開口部３９ａが形成されている。また、入口側部材３８の下方には、副唐箕２５の選別風を開口部３９ａに向けて案内する、詳しくは後述する、「案内部材」としての案内板４１が設けられている。
【００５６】
また、第一グレンパン３６の後端部と前チャフシーブ３１の前端部とは、上下方向に所定の間隔Ｄ１があけられている。そして、第二グレンパン３７の後端部と前チャフシーブ３１の前端部とは、上下方向に所定の間隔Ｄ２があけられている。間隔Ｄ１は、間隔Ｄ２よりも小さくなるように設定されている。
【００５７】
出口側部材３９は、本実施形態では、ボルト４０で入口側部材３８に固定されて、着脱可能に構成されている。出口側部材３９の後端部は、側面視において後上がりの斜めに形成されている。出口側部材３９においては、多数の開口部３９ａが機体前後方向及び機体左右方向に、それぞれ所定間隔をあけて形成されている。また、出口側部材３９においては、多数の開口部３９aが機体左右方向の全長に亘って形成されている。
【００５８】
開口部３９ａは、脱穀処理物を漏下させるとともに、副唐箕２５の選別風が開口部３９ａ内を通過する。開口部３９ａは、本実施形態では、角孔であり、平面視において機体左右方向に長い略矩形状に形成されている。開口部３９ａは、側面視において略波型状に形成された出口側部材３９の突起部分に亘って形成されている。
【００５９】
案内板４１は、副唐箕２５のファンケース４５における送出口４５ａの下端縁側に設けられている。案内板４１は、側面視において後上がりの斜めに形成されている。本実施形態では、案内板４１の傾斜角度αは、側面視において案内板４１の傾斜面を第一グレンパン３６に向けて延長した直線Ｌが、第一グレンパン３６（出口側部材３９）と交差するように設定されている。
【００６０】
以上のような構成により、本実施形態に係るコンバインでは、第一グレンパン３６の開口部３９ａから脱穀処理物が漏下する。これにより、シーブケース２９の前端部での脱穀処理物の選別量が増加する。したがって、脱穀処理物の選別効率を向上させることができる。また、副唐箕２５の選別風が開口部３９ａ内を通過することにより、シーブケース２９の前端部に、副唐箕２５の選別風が送風される。したがって、脱穀処理物の選別効率を向上させることができる。
【００６１】
図５に示すように、主唐箕２４において、ファンケース４３の送出口４３ａには、上風向板５０及び下風向板５１が設けられている。送出口４３ａ内は、上風向板５０及び下風向板５１によって、三つに仕切られている。上風向板５０は、側面視において後ろ下がりの斜めに形成された傾斜面５０ａを備えている。下風向板５１は、側面視において後ろ下がりの斜めに形成された傾斜面５１ａを備えている。
【００６２】
ここで、ファンケース４３における送出口４３ａの上端部をＰ１、上風向板５０における傾斜面５０ａの後端部をＰ２、下風向板５１における傾斜面５１ａの後端部をＰ３、とする。そして、機体前後方向における位置関係は、前方から、送出口４３ａの上端部Ｐ１、傾斜面５０ａの後端部Ｐ２、及び傾斜面５１ａの後端部Ｐ３の順となる。
【００６３】
これにより、ファンケース４３の送出口４３ａの上端部から落下した脱穀処理物は、主唐箕２４の選別風を受けて後方に飛ばされながら、上風向板５０の傾斜面５０ａに沿って落下する。その後、上風向板５０の傾斜面５０ａに沿って落下した脱穀処理物は、下風向板５１の傾斜面５１ａに沿って落下する。したがって、脱穀処理物が主唐箕２４のファンケース４３内に侵入することがない。
【００６４】
次に、副唐箕２５について、図７により説明する。
【００６５】
図７に示すように、副唐箕２５において、ファンケース４５における右及び左の端部には、外気を導入する第一開口部４５ｂがそれぞれ形成されている。ファンケース４５における右端部の第一開口部４５ｂと左端部の第一開口部４５ｂとの間には、外気を導入する第二開口部４５ｃが形成されている。第二開口部４５ｃは、ファンケース４５の前面側に形成されている。第二開口部４５ｃは、ファンケース４５における機体左右方向の中央部に形成されている。第二開口部４５ｃは、本実施形態では、正面視において上下方向に長い略矩形状に形成されている。
【００６６】
ファン４４は、単一の回転軸４４ａを有し、第二開口部４５ｃにおける機体左右方向の中心を挟んで、第一ファン４４ｂと、第二ファン４４ｃと、に二分割されて構成されている。第一ファン４４ｂと第二ファン４４ｃとは、同一の構成である。つまり、第一ファン４４ｂ及び第二ファン４４ｃは、機体左右方向における長さが互いに同じになるように構成されている。
【００６７】
これにより、右及び左の第一開口部４５ｂに加えて第二開口部４５ｃからも外気が導入される。そして、右及び左の第一開口部４５ｂ並びに第二開口部４５ｃから導入された外気が、第一ファン４４ｂ及び第二ファン４４ｃによって、送出口４５ａから選別風として送出される。
【００６８】
以下、本発明に係る別実施形態について説明する。
【００６９】
本実施形態は、普通型コンバインに適用したものであるが、本発明は、これに限定されない。例えば、本発明は、自脱型コンバインに適用したものでもよい。
【００７０】
扱胴１１は、籠型（バータイプ）に構成されているが、「扱胴」は、これに限定されない。例えば、「扱胴」は、ドラム型（板材によって略円筒状の部材を形成し、その円筒外周面に多数の扱歯を設けたもの）に構成されていてもよい。
【００７１】
開口部３９ａは、出口側部材３９に形成されているが、「開口部」は、これに限定されない。例えば、「開口部」は、入口側部材３８に形成されていたり、出口側部材３９及び入口側部材３８のいずれにも形成されていたりしてもよい。
【００７２】
開口部３９ａは、角孔であり、平面視において機体左右方向に長い略矩形状に形成されているが、「開口部」は、これに限定されない。例えば、「開口部」は、平面視において機体前後方向に長い略矩形状に形成されていたり、略正方形状に形成されていたりしてもよく、丸孔であってもよい。
【００７３】
副唐箕２５において、第一ファン４４ｂ及び第二ファン４４ｃは、機体左右方向における長さが互いに同じになるように構成されているが、「副唐箕」は、これに限定されない。例えば、「副唐箕」において、「第一ファン」及び「第二ファン」は、機体左右方向における長さが異なるように構成されていてもよい。
【産業上の利用可能性】
【００７４】
本発明は、脱穀処理物を比重差選別するグレンパンを備えるコンバインに利用可能である。
【符号の説明】
【００７５】
１１  扱胴
１４  扱室
２０  唐箕
２３  揺動選別装置
２４  主唐箕（第一唐箕）
２５  副唐箕（第二唐箕）
２９  シーブケース
３０  グレンパン
３１  前チャフシーブ（チャフシーブ）
３６  第一グレンパン
３７  第二グレンパン
３８  入口側部材
３９  出口側部材
３９ａ  開口部
４１  案内板（案内部材）
４４  ファン
４４ａ  回転軸
４４ｂ  第一ファン
４４ｃ  第二ファン
４５  ファンケース
４５ｂ  第一開口部
４５ｃ  第二開口部
【図１】
2013183655.tif 000003
【図２】
2013183655.tif 000004
【図３】
2013183655.tif 000005
【図４】
2013183655.tif 000006
【図５】
2013183655.tif 000007
【図６】
2013183655.tif 000008
【図７】
2013183655.tif 000009